(57)【要約】【課題】暑い夏にも適度に冷えて、快眠することができる枕を提供する。【解決手段】低反発ウレタンフォームから成る枕本体１と、枕本体１の下面２側に配設される保冷材３と、保冷材３の下面６側に配設される保温シート７と、保温シート７の下面10側に配設されて全体の高さを調整可能にする高さ調整シート材11と、枕本体１と保冷材３と保温シート７と高さ調整シート材11を内包する外装布体12を、備える。枕本体１が、上下方向に通気可能とする複数の貫通孔部13を有する。保冷材３が、枕本体１の下面２との滑りを防止する上滑止めシート15と、保温シート７の上面17との滑りを防止する下滑止めシート18を、有する。高さ調整シート材11が、上下方向に通気可能とする複数の貫通孔部14を有する。【選択図】図２
0003133665.tif 000002
【実用新案登録請求の範囲】
【請求項１】
低反発ウレタンフォームから成る枕本体（１）と、該枕本体（１）の下面（２）側に配設される保冷材（３）を、備え、
上記枕本体（１）が、上下方向に通気可能とする複数の貫通孔部（13）を有し、上記保冷材（３）が、上記枕本体（１）の下面（２）との滑りを防止する上滑止めシート（15）を有することを特徴とする枕。
【請求項２】
低反発ウレタンフォームから成る枕本体（１）と、該枕本体（１）の下面（２）側に配設される保冷材（３）と、該保冷材（３）の下面（６）側に配設される保温シート（７）と、上記枕本体（１）と上記保冷材（３）と上記保温シート（７）を内包する外装布体（12）を、備え、
上記枕本体（１）が、上下方向に通気可能とする複数の貫通孔部（13）を有し、上記保冷材（３）が、上記枕本体（１）の下面（２）との滑りを防止する上滑止めシート（15）と、上記保温シート（７）の上面（17）との滑りを防止する下滑止めシート（18）を、有することを特徴とする枕。
【請求項３】
低反発ウレタンフォームから成る枕本体（１）と、該枕本体（１）の下面（２）側に配設される保冷材（３）と、該保冷材（３）の下面（６）側に配設される保温シート（７）と、該保温シート（７）の下面（10）側に配設されて全体の高さを調整可能にする高さ調整シート材（11）と、上記枕本体（１）と上記保冷材（３）と上記保温シート（７）と上記高さ調整シート材（11）を内包する外装布体（12）を、備え、
上記枕本体（１）が、上下方向に通気可能とする複数の貫通孔部（13）を有し、上記保冷材（３）が、上記枕本体（１）の下面（２）との滑りを防止する上滑止めシート（15）と、上記保温シート（７）の上面（17）との滑りを防止する下滑止めシート（18）を、有し、上記高さ調整シート材（11）が、上下方向に通気可能とする複数の貫通孔部（14）を有することを特徴とする枕。
【考案の詳細な説明】
【技術分野】
【０００１】
本考案は、枕に関する。
【背景技術】
【０００２】
従来、睡眠中に頭部を適度なクッション性とフィット性をもって支持するために、低反発ウレタンフォームが用いられている（例えば、特許文献１参照）。
【０００３】
しかし、低反発ウレタンフォームを用いた枕は、夏場、蒸れやすくて熱が籠もり、寝心地が悪いという欠点があった。そこで、枕の上に保冷材を乗せると、冷えすぎるという欠点があった。さらに、保冷材が位置ずれするという欠点があった。
【特許文献１】特開２００５−６９２０号公報
【考案の開示】
【考案が解決しようとする課題】
【０００４】
解決しようとする課題は、夏場に熱が籠もる点である。特に、枕の上に保冷材を乗せると、冷えすぎるという点である。さらに、保冷材が位置ずれするという点である。
【課題を解決するための手段】
【０００５】
そこで、本考案に係る枕は、低反発ウレタンフォームから成る枕本体と、該枕本体の下面側に配設される保冷材を、備え、上記枕本体が、上下方向に通気可能とする複数の貫通孔部を有し、上記保冷材が、上記枕本体の下面との滑りを防止する上滑止めシートを有するものである。
【０００６】
また、低反発ウレタンフォームから成る枕本体と、該枕本体の下面側に配設される保冷材と、該保冷材の下面側に配設される保温シートと、上記枕本体と上記保冷材と上記保温シートを内包する外装布体を、備え、上記枕本体が、上下方向に通気可能とする複数の貫通孔部を有し、上記保冷材が、上記枕本体の下面との滑りを防止する上滑止めシートと、上記保温シートの上面との滑りを防止する下滑止めシートを、有するものである。
【０００７】
また、低反発ウレタンフォームから成る枕本体と、該枕本体の下面側に配設される保冷材と、該保冷材の下面側に配設される保温シートと、該保温シートの下面側に配設されて全体の高さを調整可能にする高さ調整シート材と、上記枕本体と上記保冷材と上記保温シートと上記高さ調整シート材を内包する外装布体を、備え、上記枕本体が、上下方向に通気可能とする複数の貫通孔部を有し、上記保冷材が、上記枕本体の下面との滑りを防止する上滑止めシートと、上記保温シートの上面との滑りを防止する下滑止めシートを、有し、上記高さ調整シート材が、上下方向に通気可能とする複数の貫通孔部を有するものである。
【考案の効果】
【０００８】
本考案の枕によれば、暑い夏にも適度に冷えて、快眠することができる。さらに、保冷材の位置ずれを防止することができる。
【考案を実施するための最良の形態】
【０００９】
図１・図２は、本考案の実施の一形態を示す。この枕は、低反発ウレタンフォームから成る枕本体１と、枕本体１の下面２側に配設される保冷材３を、備えている。保冷材３としては、一般に用いられているゼリー状の冷却剤（保冷剤）４を袋体５に収納したものを用いることができる。
【００１０】
保冷材３の下面６側に配設される保温シート７を備えている。保温シート７は、例えば、発泡樹脂８（発泡ウレタン等）とアルミニウムシート９を積層したものから成る。上側に発泡樹脂８を配設し、下側にアルミニウムシート９が配設するのが好ましい。保温シート７の下面10側に配設されて全体の高さを調整可能にする高さ調整シート材11を備えている。高さ調整シート材11は、例えば、ウレタンフォームから成る。枕本体１と保冷材３と保温シート７と高さ調整シート材11を内包する外装布体12を備えている。外装布体12は、通気性を有する。
【００１１】
図２・図３に示すように、枕本体１が、上下方向に通気可能とする複数の（例えば28個の）貫通孔部13を有する。高さ調整シート材11が、上下方向に通気可能とする複数の（例えば28個の）貫通孔部14を有する。
【００１２】
図４・図５に示すように、保冷材３が、枕本体１（図１参照）の下面２との（相対的な）滑りを防止する上滑止めシート15を有する。具体的には、上滑止めシート15と（後述の）上被覆布体23が接している。上滑止めシート15が、ゴム又は樹脂から成る。上滑止めシート15が、複数の上滑止め用突部16を有する。
【００１３】
保冷材３が、保温シート７の上面17との滑りを防止する下滑止めシート18を有する。下滑止めシート18が、ゴム又は樹脂から成る。下滑止めシート18が、複数の下滑止め用突部19を有する。下滑止めシート18を上滑止めシート15より大きくするのが好ましい。
【００１４】
図２にもどって、保温シート７が、高さ調整シート材11との（相対的な）滑りを防止する滑止めシート20を有する。具体的には、保温シート７と（後述の）下被覆布体24が接している。滑止めシート20が、ゴム又は樹脂から成る。滑止めシート20が、複数の滑止め用突部21を有する。
【００１５】
外装布体12は、開閉自在なファスナー22を有する。枕本体１を収納するとともに通気性を有する上被覆布体23を備えている。高さ調整シート材11を収納するとともに通気性を有する下被覆布体24を備えている。
【００１６】
なお、本考案の枕を使用する際は、睡眠前にあらかじめ保冷材３を冷凍庫で冷却しておき、就寝時に保冷材３を枕本体１の下面２側に配設する。
【００１７】
本考案は、設計変更可能であって、例えば、保温シート７を省略しても良い。また、高さ調整シート材11を省略しても良い。また、上被覆布体23を省略しても良い。また、下被覆布体24を省略しても良い。
【００１８】
以上のように、本考案は、低反発ウレタンフォームから成る枕本体１と、枕本体１の下面２側に配設される保冷材３を、備え、枕本体１が、上下方向に通気可能とする複数の貫通孔部13を有し、保冷材３が、枕本体１の下面２との滑りを防止する上滑止めシート15を有するので、暑い夏にも適度に冷えて、快眠することができる。すなわち、保冷材３にて冷却された空気（冷気）が複数の貫通孔部13を通って枕の上部に効果的に伝わる。保冷材３と枕本体１の位置ずれを防止することができる。すなわち、睡眠中に保冷材３が滑って枕の隅に寄って効果を成さなくなることを防止することができる。
【００１９】
また、低反発ウレタンフォームから成る枕本体１と、枕本体１の下面２側に配設される保冷材３と、保冷材３の下面６側に配設される保温シート７と、枕本体１と保冷材３と保温シート７を内包する外装布体12を、備え、枕本体１が、上下方向に通気可能とする複数の貫通孔部13を有し、保冷材３が、枕本体１の下面２との滑りを防止する上滑止めシート15と、保温シート７の上面17との滑りを防止する下滑止めシート18を、有するので、暑い夏にも適度に冷えて、快眠することができる。すなわち、保冷材３にて冷却された空気（冷気）が複数の貫通孔部13を通って枕の上部に効果的に伝わる。保冷材３と枕本体１及び保温シート７の位置ずれを防止することができる。すなわち、睡眠中に保冷材３が滑って枕の隅に寄って効果を成さなくなることを防止することができる。
【００２０】
さらに、保温シート７が高さ調整シート材11の貫通孔部14を塞いで、冷気が枕の上部に上昇する。冷気が下方へ移動するのを防止することとなり、保冷時間を長くすることができる。従って、睡眠の途中に保冷材３を取替えたり、スペアを用意する必要がなくなり、便利である。外装布体12によって、全体を一体として取扱うことができて至便である。  
【００２１】
また、低反発ウレタンフォームから成る枕本体１と、枕本体１の下面２側に配設される保冷材３と、保冷材３の下面６側に配設される保温シート７と、保温シート７の下面10側に配設されて全体の高さを調整可能にする高さ調整シート材11と、枕本体１と保冷材３と保温シート７と高さ調整シート材11を内包する外装布体12を、備え、枕本体１が、上下方向に通気可能とする複数の貫通孔部13を有し、保冷材３が、枕本体１の下面２との滑りを防止する上滑止めシート15と、保温シート７の上面17との滑りを防止する下滑止めシート18を、有し、高さ調整シート材11が、上下方向に通気可能とする複数の貫通孔部14を有するので、暑い夏にも適度に冷えて、快眠することができる。すなわち、保冷材３にて冷却された空気（冷気）が複数の貫通孔部13を通って枕の上部に効果的に伝わる。保冷材３と枕本体１及び保温シート７の位置ずれを防止することができる。すなわち、睡眠中に保冷材３が滑って枕の隅に寄って効果を成さなくなることを防止することができる。
【００２２】
保温シート７が高さ調整シート材11の貫通孔部14を塞いで、冷気が枕の上部に上昇する。冷気が下方へ移動するのを防止することとなり、保冷時間を長くすることができる。従って、睡眠の途中に保冷材３を取替えたり、スペアを用意する必要がなくなり、便利である。外装布体12によって、全体を一体として取扱うことができて至便である。
【００２３】
さらに、枕の高さを調整することができる。例えば、高さ調整シート材11を取出して低い枕として使用することができる。その場合、取出した高さ調整シート材11を腰当てや座布団として使用することもできる。高さ調整シート材11が貫通孔部14を有するので、保冷材３が不要の場合に通気性が良い。
【図面の簡単な説明】
【００２４】
【図１】本考案の実施の一形態を示す斜視図である。
【図２】図１のＡ−Ａ断面図である。
【図３】枕本体を示す斜視図である。
【図４】保冷材を示す平面図である。
【図５】図４のＢ−Ｂ断面図である。
【符号の説明】
【００２５】
１  枕本体
２  下面
３  保冷材
６  下面
７  保温シート
10  下面
11  高さ調整シート材
12  外装布体
13  貫通孔部
14  貫通孔部
15  上滑止めシート
17  上面
18  下滑止めシート
【図１】
0003133665.tif 000003
【図２】
0003133665.tif 000004
【図３】
0003133665.tif 000005
【図４】
0003133665.tif 000006
【図５】
0003133665.tif 000007